(57)【要約】【課題】ＤＶＤ−ＲＡＭディスクのようにアドレスピットが形成された光ディスクを、ディスク反射率のばらつきなどの影響を受けず、精度良く判別すること。【解決手段】トップエンベロープ検出回路１０は、光ヘッド２で読み出したＲＦ信号のトップエンベロープ値Ｅｔを検出する。第１、第２のエンベロープホールド回路１１，１２は第１、第２の充電時定数τａ１，τａ２を有し、トップエンベロープ値Ｅｔから第１、第２のホールド値Ｅｈ１，Ｅｈ２を得る。第１、第２のホールド値Ｅｈ１，Ｅｈ２が異なるとき、当該光ディスクはＤＶＤ−ＲＡＭディスクであると判別する。第１の充電時定数τａ１は、第２の充電時定数τａ２よりも短く設定する。【選択図】図１
2010129118.tif 000002
【特許請求の範囲】
【請求項１】
光ディスクにレーザ光を照射してデータを記録および再生する光ディスク装置において、
回転する上記光ディスクにレーザ光を照射して戻り光からＲＦ信号を読み出す光ヘッドと、
該光ヘッドで読み出したＲＦ信号のトップエンベロープ値Ｅｔを検出するトップエンベロープ検出回路と、
第１の充電時定数τａ１を有し上記トップエンベロープ値Ｅｔから第１のホールド値Ｅｈ１を得る第１のエンベロープホールド回路と、
第２の充電時定数τａ２を有し上記トップエンベロープ値Ｅｔから第２のホールド値Ｅｈ２を得る第２のエンベロープホールド回路と、
上記第１のホールド値Ｅｈ１と第２のホールド値Ｅｈ２が等しいかどうかを判定する判定回路とを備え、
上記第１のホールド値Ｅｈ１と第２のホールド値Ｅｈ２が異なるとき、上記光ディスクはＤＶＤ−ＲＡＭディスクであると判別することを特徴とする光ディスク装置。
【請求項２】
光ディスクにレーザ光を照射してデータを記録および再生する光ディスク装置において、
回転する上記光ディスクにレーザ光を照射して戻り光からＲＦ信号を読み出す光ヘッドと、
該光ヘッドで読み出したＲＦ信号のトップエンベロープ値Ｅｔを検出するトップエンベロープ検出回路と、
充電時定数が可変で上記トップエンベロープ値Ｅｔから２つのホールド値Ｅｈ１，Ｅｈ２を得るエンベロープホールド回路と、
該エンベロープホールド回路の充電時定数を第１の充電時定数τａ１から第２の充電時定数τａ２に切り替えて設定する充電時定数切替回路と、
上記２つのホールド値Ｅｈ１とＥｈ２が等しいかどうかを判定する判定回路とを備え、
上記２つのホールド値Ｅｈ１とＥｈ２が異なるとき、上記光ディスクはＤＶＤ−ＲＡＭディスクであると判別することを特徴とする光ディスク装置。
【請求項３】
請求項１または２に記載の光ディスク装置において、
前記第１の充電時定数τａ１は、前記第２の充電時定数τａ２よりも短く設定したことを特徴とする光ディスク装置。
【請求項４】
光ディスクにレーザ光を照射して該光ディスクの種類を判別する光ディスク判別方法において、
回転する上記光ディスクにレーザ光を照射して戻り光からＲＦ信号を読み出すステップと、
該読み出したＲＦ信号のトップエンベロープ値Ｅｔを検出するステップと、
第１の充電時定数τａ１により上記トップエンベロープ値Ｅｔから第１のホールド値Ｅｈ１を得るステップと、
第２の充電時定数τａ２により上記トップエンベロープ値Ｅｔから第２のホールド値Ｅｈ２を得るステップと、
上記第１のホールド値Ｅｈ１と第２のホールド値Ｅｈ２が等しいかどうかを判定するステップとを備え、
上記第１のホールド値Ｅｈ１と第２のホールド値Ｅｈ２が異なるとき、上記光ディスクはＤＶＤ−ＲＡＭディスクであると判別することを特徴とする光ディスク判別方法。
【請求項５】
請求項４に記載の光ディスク判別方法において、
前記第１の充電時定数τａ１は、前記第２の充電時定数τａ２よりも短く設定したことを特徴とする光ディスク判別方法。
【請求項６】
光ディスクにレーザ光を照射して該光ディスクの種類を判別する光ディスク判別方法において、
回転する上記光ディスクにレーザ光を照射して戻り光からＲＦ信号を読み出すステップと、
該ＲＦ信号からＤＶＤ−ＲＡＭディスクのアドレスピット領域のエンベロープ値Ｖ１を検出するステップと、
該ＲＦ信号からＤＶＤ−ＲＡＭディスクのデータ領域のエンベロープ値Ｖ２を検出するステップと、
検出した２つのエンベロープ値Ｖ１とＶ２を比較するステップとを備え、
２つのエンベロープ値Ｖ１とＶ２が異なる場合、上記光ディスクはＤＶＤ−ＲＡＭディスクであると判別することを特徴とする光ディスク判別方法。
【発明の詳細な説明】
【技術分野】
【０００１】
本発明は、ＤＶＤ−ＲＡＭディスクのようにアドレスピットが形成された光ディスクを精度良く判別する光ディスク装置及び光ディスク判別方法に関するものである。
【背景技術】
【０００２】
光ディスクは媒体の材料、記録方式、記録容量などの違いにより多くの種類が存在し、１台の装置で複数種類の光ディスクに対応できることが要求されている。そのため、ディスクが装着されるとその種類を正しく判別して、そのディスクに適した処理を行う必要がある。この中で相変化を利用した書き換え可能な光ディスクであるＤＶＤ−ＲＡＭを判別する場合、固有のアドレスピット（ＣＡＰＡ）領域の有無を検出することによってＤＶＤ−ＲＡＭであるかどうかを判別する技術が知られている。
【０００３】
特許文献１では、光ディスクから得られる全反射加算信号のピーク値とボトム値を検出し、その差分量を基準レベルと比較することでアドレスピット領域の有無を判別することが記載される。
特許文献２では、ＲＦ信号に含まれるＣＡＰＡ信号を２値化し、ディスク１回転の時間に対する２値化信号の時間の割合を算出し、所定の割合であればＤＶＤ−ＲＡＭであると判別することが記載される。
【０００４】
【特許文献１】特開２００５−３８５１４号公報
【特許文献２】特開２００７−１４９１５９号公報
【発明の開示】
【発明が解決しようとする課題】
【０００５】
上記特許文献１による判別方法では、アドレスピット（ＣＡＰＡ）領域はデータ領域に比較して反射率が大きく、検出信号レベルが大きくなることを利用してアドレスピット領域の有無を判別するものである。しかしながらディスクの反射率はディスク毎にばらつきがあり、またこれを検出する装置のピックアップ（光ヘッド）の感度にも差があるので、検出信号の絶対レベル（ピーク値とボトム値）は変動しやすい。よって、その差分量を基準レベルと比較して判定する方法では、判別精度が十分とは言えない。これは上記特許文献２の場合も同様で、ＣＡＰＡ信号を２値化するために上側閾値、下側閾値と比較する工程があり、この段階で誤差を含む恐れがある。
【０００６】
本発明の目的は、ＤＶＤ−ＲＡＭディスクのようにアドレスピットが形成された光ディスクを、ディスク反射率のばらつきなどの影響を受けず、精度良く判別できる光ディスク装置及び光ディスク判別方法を提供することにある。
【課題を解決するための手段】
【０００７】
本発明の光ディスク装置は、回転する光ディスクにレーザ光を照射して戻り光からＲＦ信号を読み出す光ヘッドと、光ヘッドで読み出したＲＦ信号のトップエンベロープ値Ｅｔを検出するトップエンベロープ検出回路と、第１の充電時定数τａ１を有しトップエンベロープ値Ｅｔから第１のホールド値Ｅｈ１を得る第１のエンベロープホールド回路と、第２の充電時定数τａ２を有しトップエンベロープ値Ｅｔから第２のホールド値Ｅｈ２を得る第２のエンベロープホールド回路と、第１のホールド値Ｅｈ１と第２のホールド値Ｅｈ２が等しいかどうかを判定する判定回路とを備え、第１のホールド値Ｅｈ１と第２のホールド値Ｅｈ２が異なるとき、当該光ディスクはＤＶＤ−ＲＡＭディスクであると判別する。
【０００８】
本発明の光ディスク判別方法は、回転する上記光ディスクにレーザ光を照射して戻り光からＲＦ信号を読み出すステップと、読み出したＲＦ信号のトップエンベロープ値Ｅｔを検出するステップと、第１の充電時定数τａ１によりトップエンベロープ値Ｅｔから第１のホールド値Ｅｈ１を得るステップと、第２の充放電時定数τａ２によりトップエンベロープ値Ｅｔから第２のホールド値Ｅｈ２を得るステップと、第１のホールド値Ｅｈ１と第２のホールド値Ｅｈ２が等しいかどうかを判定するステップとを備え、第１のホールド値Ｅｈ１と第２のホールド値Ｅｈ２が異なるとき、当該光ディスクはＤＶＤ−ＲＡＭディスクであると判別する。
ここで、前記第１の充電時定数τａ１は、前記第２の充電時定数τａ２よりも短く設定する。
【発明の効果】
【０００９】
本発明によれば、光ディスクの判別において、ディスク反射率のばらつきなどの影響を受けず精度良く判別できるので、光ディスク装置の信頼性を向上させる効果がある。
【発明を実施するための最良の形態】
【００１０】
以下、本発明の実施の形態を図面を用いて説明する。
【実施例１】
【００１１】
図１は、本発明にかかる光ディスク装置の第１の実施例を示す構成図である。本実施例の装置は、ＤＶＤ−ＲＡＭなどの光ディスク１をスピンドルモータ４にて回転し、光ヘッド２は半導体レーザで発生したレーザ光を光ディスク１の記録面に照射し、データを記録し、また戻り光からデータを再生する。サーボ制御回路３は、スピンドルモータ４の回転動作と、光ヘッド２の送り動作を制御する。変調回路８は記録用データを変調し、レーザ駆動回路９は変調信号に従って半導体レーザの発光を制御する。再生回路５は光ヘッド２で読み出した再生信号（ＲＦ信号）を処理し、復調回路６により再生データを得る。
【００１２】
本装置ではさらにディスク判別用として次の回路を備える。トップエンベロープ検出回路１０は、光ヘッド２で読み出した再生信号（ＲＦ信号）からトップエンベロープ値Ｅｔを検出する。第１のエンベロープホールド回路１１は、第１の充放電時定数（充電時定数が短い）を有し、トップエンベロープ値Ｅｔから第１のホールド値Ｅｈ１を得る。第２のエンベロープホールド回路１２は、第２の充放電時定数（充電時定数が長い）を有し、トップエンベロープ値Ｅｔから第２のホールド値Ｅｈ２を得る。差分回路１３は、第１のホールド値Ｅｈ１と第２のホールド値Ｅｈ２の差分値ΔＥｈを求め、比較回路１４は、差分値ΔＥｈを閾値ΔＥ０と比較する。制御回路７は、比較回路１４の判定信号からディスク判別を行い、判別結果に基づき装置全体の制御を行う。
【００１３】
本実施例のディスク判別では、ＲＦ信号のトップエンベロープ値Ｅｔを検出した後、充放電時定数が異なる２つのエンベロープホールド回路１１，１２で２つのエンベロープレベルを取得する。充電時定数が短い第１のエンベロープホールド回路１１は、ＤＶＤ−ＲＡＭディスクのアドレスピット領域が発生する高レベルで短時間のエンベロープレベルを捉え、ホールド値Ｅｈ１を出力する。一方充電時定数が長い第２のエンベロープホールド回路１２は、アドレスピット領域の短時間のエンベロープに応答できず、データ部の低レベルのエンベロープレベルを捉え、ホールド値Ｅｈ２を出力する。両者のホールド値が異なれば（Ｅｈ１≠Ｅｈ２）、当該ディスクはアドレスピット領域が存在するＤＶＤ−ＲＡＭディスクであると判別する。両者のホールド値が等しければ（Ｅｈ１＝Ｅｈ２）、アドレスピット領域が存在せずＤＶＤ−ＲＡＭ以外のディスクであると判別する。ここに２つのホールド値が等しいかどうかは、測定誤差を考慮した上で判断するものであることは言うまでもない。
【００１４】
なお上記構成では、差分回路１３にてホールド値の差分値ΔＥｈ（＝Ｅｈ１−Ｅｈ２）を求め、比較回路１４で差分値ΔＥｈを閾値ΔＥ０と比較している。これは、測定時の測定誤差やノイズの影響を排除するために設けたものであり、前記特許文献１のように、差分値ΔＥｈの大きさ自身から判定する方式とは根本的に異なる。すなわち本実施例では、２つのホールド値が一致するかどうかでディスクを判別するので、ディスクの反射率や光ヘッドの感度のばらつきなどの影響を受けず、精度良く判別することができる。
【００１５】
図２は、図１におけるトップエンベロープ検出回路１０の内部構成例を示す図である。
入力端子２１には光ヘッド２からのＲＦ信号が入力し、出力端子２６からトップエンベロープ信号Ｅｔが出力される。オペアンプ２２には入力ＲＦ信号と出力エンベロープ信号Ｅｔが差動入力する。入力ＲＦ信号の電位が出力信号Ｅｔの電位よりも高い場合、その電位差によりダイオード２３を介して容量Ｃ２４が充電され、容量Ｃ２４の電位すなわち出力端子２６の電位ＥｔはＲＦ信号のトップ電位まで上昇する。一方入力ＲＦ信号の電位が出力信号Ｅｔの電位よりも低い場合、容量Ｃ２４に充電された電荷は抵抗Ｒ２５を介して放電し、容量Ｃ２４の電位すなわち出力端子２６の電位ＥｔはＲＦ信号の電位まで低下する。容量Ｃ２４への充電動作は瞬時に行われるが、放電動作は抵抗Ｒ２５との時定数だけ遅れる結果、出力端子２６にはＲＦ信号のトップエンベロープに追従した信号Ｅｔが出力される。
【００１６】
図３は、図１における第１及び第２のエンベロープホールド回路１１，１２の内部構成例を示す図である。２つのエンベロープホールド回路は基本構成は同じであるが、時定数が異なる。ここでは一方のエンベロープホールド回路のみを示す。
入力端子３１にはトップエンベロープ検出回路１０からのトップエンベロープ値Ｅｔが入力し、出力端子３６からエンベロープホールド値Ｅｈ（Ｅｈ１またはＥｈ２）が出力される。一対のコンパレータ３２ａ，３２ｂには入力信号Ｅｔと出力信号Ｅｈがそれぞれ逆相で入力し、択一的に動作する。入力信号Ｅｔの電位が出力信号Ｅｈの電位よりも高い場合には、コンパレータ３２ａがスイッチ３４ａを閉じて、電流源３３ａから容量Ｃ３５に対して充電を行う。一方入力信号Ｅｔの電位が出力信号Ｅｈの電位よりも低い場合には、コンパレータ３２ｂがスイッチ３４ｂを閉じて、容量Ｃ３５から電流源３３ｂに向けて放電を行う。このとき、電流源３３ａの電流値Ｉａと電流源３３ｂの電流値Ｉｂを制限し、充電時の速度（充電時定数τａ）と放電時の速度（放電時定数τｂ）を制御する。電流値Ｉａ，Ｉｂが大きければ容量Ｃ３５に対する充放電が短時間で行われるので、時定数τａ，τｂは小さくなる。逆に電流値Ｉａ，Ｉｂが小さければ充放電に長時間かかるので、時定数τａ，τｂは大きくなる。
【００１７】
本実施例では、充電時定数τａと放電時定数τｂを独立に設定して充電動作と放電動作の速度を制御する。またエンベロープホールド回路１１，１２において、それらの充電時定数τａ１，τａ２を異ならせる。
具体的には、第１のエンベロープホールド回路１１では、アドレスピット部の期間Ｔ１において容量Ｃ３５が急速に充電されるように、電流値Ｉａを大きくし充電時定数τａ１を短くする。そして充電後に容量Ｃ３５のホールド値Ｅｈ１のレベル低下が少なくなるよう、放電時の電流値Ｉｂを小さくし放電時定数τｂ１を長くする。ここに、エンベロープホールド回路の出力電圧Ｖｅｍｈと電流値Ｉの関係は、容量値Ｃ、充放電時間ｔとするとき、（１）式で近似される。
Ｉ＝Ｖｅｍｈ×Ｃ／ｔ      （１）
例えば充電時の電流値Ｉａは、アドレスピット部の期間Ｔ１（ＤＶＤ−ＲＡＭ２ｘでは約１７μｓ）においてアドレスピット信号レベルＶ１に達するように、すなわち（１）式においてＶｅｍｈ＞Ｖ１となるように電流値Ｉａを設定する。一方放電時の電流値Ｉｂは、データ部の期間Ｔ２（ＤＶＤ−ＲＡＭ２ｘでは約３４７μｓ）において前記アドレスピット信号レベルＶ１の５％未満の変動（低下）に抑えるように、すなわち（１）式においてＶｅｍｈ＜Ｖ１×０．０５となるように電流値Ｉｂを設定する。なお、変動量５％は一例であり、ノイズ等の影響を考慮して通常はこれ以下に設定する。これを第１の充放電時定数とする。これにより、アドレスピット部のような短期間のトップエンベロープの上昇に応答し、データ部の期間においてそのレベルを保持することができる。
【００１８】
一方第２のエンベロープホールド回路１２では、アドレスピット部の期間Ｔ１において容量Ｃ３５の充電が遅れるように、電流値Ｉａを小さくし充電時定数τａ１を長くする。例えばアドレスピット信号レベルＶ１に対して５％未満の追従となるように、すなわち（１）式においてＶｅｍｈ＜Ｖ１×０．０５となるように電流値Ｉａを設定する。放電時の電流値Ｉｂと放電時定数τｂ２については、第１のエンベロープホールド回路１１と同様に設定し、ホールド値Ｅｈ２のレベル低下が少なくなるようにする。これを第２の充放電時定数とする。これにより、アドレスピット部のような短時間のトップエンベロープの上昇に応答せず、データ部のように長時間継続するトップエンベロープのレベルを保持することができる。
【００１９】
なお、入力信号Ｅｔにアドレスピット部のような短時間のトップエンベロープの上昇が含まれない場合には、前記第１のエンベロープホールド回路１１は、データ部のように長時間継続するトップエンベロープのレベルを保持することは言うまでもない。このように、充電時定数τａ１，τａ２と放電時定数τｂ１，τｂ２を適宜設定することで、アドレスピット部またはデータ部のエンベロープ値Ｅｈ１，Ｅｈ２を選択して出力することができる。
【００２０】
図４は、ＤＶＤ−ＲＡＭディスクの記録フォーマットとＲＦ信号を模式的に示す図である。
（ａ）は記録フォーマットを示し、ＤＶＤ−ＲＡＭディスクはセクタフォーマット構造をとっており、１つのセクタはアドレスピット部（以下、単にアドレス部と呼ぶ）４１とデータ部４２からなる。アドレス部４１は、ヘッダ部、ＰＩＤ部、ＣＡＰＡ（Complimentary Allocated Pit Address）とも呼ばれ、予めアドレス情報を示すアドレスピットが形成された領域（ＩＤ１〜ＩＤ４）とクロック同期用の領域（ＶＦＯ）を有する。データ部４２はランドあるいはグルーブ形状からなり、ユーザのデータが記録される領域（ＰＳ＋ＤＡＴＡ＋ＰＡ３）と、ガード領域、バッファ領域、ＶＦＯ領域を有する。アドレス部４１はデータ部４２の媒体材質と異なり、データ部４２よりも反射率が高くなっている。
【００２１】
（ｂ）はＤＶＤ−ＲＡＭディスクの反射光から得られるＲＦ信号を示す。アドレス部４１においては高反射率材料のためディスクからの戻り光量が多く、ＲＦ信号の直流レベルＶ１が高い。データ部４２においては低反射率材料のため直流レベルＶ２が低くなる。ただし、アドレス部４１は領域が狭いので継続時間Ｔ１は短く、データ部４２の継続時間Ｔ２は長くなる。本実施例では、これらの直流レベルＶ１，Ｖ２が異なることとその継続時間Ｔ１，Ｔ２の大小を利用してＤＶＤ−ＲＡＭディスクを判別する。
【００２２】
図５は、ディスク判別における信号波形の一例を示す図である。（ａ）はＤＶＤ−ＲＡＭディスクの場合、（ｂ）はそれ以外のディスクの場合である。
（ａ）のＤＶＤ−ＲＡＭディスクの場合、光ヘッド２から得られるＲＦ信号の直流レベルはアドレス部５１にて高いレベルＶ１、データ部５２にて低いレベルＶ２になる。トップエンベロープ検出回路１０はこれらのＲＦ信号のトップエンベロープに追従し、符号Ｅｔで示すトップエンベロープ信号を出力する。トップエンベロープ検出回路１０は放電時定数を有するため、アドレス部５１からデータ部５２に切り替わる位置で、信号Ｅｔは緩やかに低下する。
【００２３】
第１のエンベロープホールド回路１１は、トップエンベロープ信号Ｅｔを受けてアドレス部５１の高いレベルＶ１に等しい信号Ｅｈ１を出力する。これは、充電時定数τａ１を短くし、アドレス部５１の継続時間Ｔ１にてレベルＶ１に到達できるようにしたからである。またレベルＶ１は、放電時定数τｂ１を長く設定することで保持することができる（第１の充放電時定数）。一方第２のエンベロープホールド回路１２は、トップエンベロープ信号Ｅｔを受けて、データ部５２の低いレベルＶ２に等しい信号Ｅｈ２を出力する。これは、充電時定数τａ２を長くし、アドレス部５１の継続時間Ｔ１にてレベルＶ１に到達できないようにしたからである。またレベルＶ２は、放電時定数τｂ２を長く設定することで保持することができる（第２の充放電時定数）。
【００２４】
差分回路１３は、第１のエンベロープホールド回路１１の出力Ｅｈ１と第２のエンベロープホールド回路１２の出力Ｅｈから、差分信号ΔＥｈ（＝Ｅｈ１−Ｅｈ２）を出力する。この場合Ｅｈ１＝Ｖ１、Ｅｈ２＝Ｖ２であるから、ΔＥｈ＝Ｖ１−Ｖ２となる。比較回路１４は、差分信号ΔＥｈを閾値ΔＥ０と比較して判定信号Ｈｉｇｈ／Ｌｏｗを出力する。この場合ΔＥｈ＞ΔＥ０であるから判定信号はＨｉｇｈとなり、ＤＶＤ−ＲＡＭであると判別する。
【００２５】
一方（ｂ）のＤＶＤ−ＲＡＭ以外のディスクの場合、アドレス部５１を有していないので、光ヘッド２から得られるＲＦ信号の直流レベルは全てデータ部５２の低いレベルＶ２となる。トップエンベロープ検出回路１０はこのＲＦ信号のトップエンベロープに追従し、全区間で一定のレベルＶ２に等しい信号Ｅｔを出力する。この場合、トップエンベロープ値Ｅｔに変動がないので、第１のエンベロープホールド回路１１と第２のエンベロープホールド回路１２の出力Ｅｈ１，Ｅｈ２は、いずれもＥｔに等しくレベルＶ２となる。よって、差分回路１３の差分信号ΔＥｈは、Ｅｈ１−Ｅｈ２＝０となる。この場合ΔＥｈ＜ΔＥ０であるから比較回路１４の判定信号はＬｏｗとなり、ＤＶＤ−ＲＡＭ以外のディスクであると判別する。
【００２６】
図６は、本実施例におけるディスク判別のフローチャートを示す図である。
ステップＳ１０１では、スピンドルモータ４により光ディスク１を回転する。
ステップＳ１０２では、光ヘッド２からレーザ光を照射し、サーボ制御回路３によりディスクのユーザデータ領域に相当する位置でフォーカスサーボをＯＮにする。
ステップＳ１０３では、光ヘッド２から得られるＲＦ信号についてトップエンベロープ検出回路１０によりトップエンベロープ値Ｅｔを検出する。
【００２７】
ステップＳ１０４では、トップエンベロープ値Ｅｔを第１の充放電時定数を有する第１のエンベロープホールド回路１１に入力し、第１のホールド値Ｅｈ１を得る。
ステップＳ１０５では、トップエンベロープ値Ｅｔを第２の充放電時定数を有する第２のエンベロープホールド回路１２に入力し、第２のホールド値Ｅｈ２を得る。
ステップＳ１０６では、第１のホールド値Ｅｈ１と第２のホールド値Ｅｈ２を差分回路１３に入力し、それらの差分値ΔＥｈを求める。
ステップＳ１０７では、差分値ΔＥｈを比較回路１４に入力し、閾値ΔＥ０と比較し判定信号を出力する。
【００２８】
差分値ΔＥｈが閾値ΔＥ０以上であれば（判定信号はＨｉｇｈ）、ステップＳ１０８へ進み、当該ディスクはＤＶＤ−ＲＡＭディスクであると判別する。
差分値ΔＥｈが閾値ΔＥ０未満であれば（判定信号はＬｏｗ）、ステップＳ１０９へ進み、当該ディスクはＤＶＤ−ＲＡＭ以外のディスクであると判別する。
【００２９】
以上のように実施例１によれば、２つのホールド値が一致するかどうかでディスクを判別するので、ディスクの反射率や光ヘッドの感度のばらつきなどの影響を受けず、ディスク判別精度を向上させることができる。
【実施例２】
【００３０】
図７は、本発明にかかる光ディスク装置の第２の実施例を示す構成図である。
本実施例では、単一のエンベロープホールド回路を有し、その充放電時定数を切り替えるようにしたものである。図において、エンベロープホールド回路１５は充放電時定数を可変とするもので、充放電時定数切替回路１６によりその時定数を切り替えて２つのホールド値Ｅｈ１，Ｅｈ２を出力する。判定回路１７は、エンベロープホールド回路１５からのホールド値Ｅｈ１，Ｅｈ２を順次入力してメモリに記憶し、それらの差分量ΔＥｈを求め閾値ΔＥ０と比較する。他の構成は前記実施例１（図１）と同様であり、説明を省略する。
【００３１】
エンベロープホールド回路１５は前記図３と同様の構成であり、電流源３３ａの電流値Ｉａと電流源３３ｂの電流値Ｉｂを切り替えることで、充電時の時定数τａと放電時の時定数τｂの組み合わせを２通り設定する。電流値Ｉａ，Ｉｂの切り替え、すなわち時定数τａ，τｂの設定は前記実施例１の場合と同様であり、前記第１および第２の充放電時定数と同様に設定する。これにより、前記第１および第２のエンベロープホールド回路１１，１２と同様の機能を実現できる。
【００３２】
図８は、本実施例におけるディスク判別のフローチャートを示す図である。
ステップＳ２０１では、スピンドルモータ４により光ディスク１を回転する。
ステップＳ２０２では、光ヘッド２からレーザ光を照射し、サーボ制御回路３によりディスクのユーザデータ領域に相当する位置でフォーカスサーボをＯＮにする。
ステップＳ２０３では、光ヘッド２から得られるＲＦ信号についてトップエンベロープ検出回路１０によりトップエンベロープ値Ｅｔを検出する。
【００３３】
ステップＳ２０４では、充放電時定数切替回路１６によりエンベロープホールド回路１５の時定数を第１の充放電時定数に設定する。
ステップＳ２０５では、第１の充放電時定数に設定されたエンベロープホールド回路１５で得られる第１のホールド値Ｅｈ１を判定回路１７のメモリに保存する。
ステップＳ２０６では、充放電時定数切替回路１６によりエンベロープホールド回路１５の時定数を第２の充放電時定数に設定する。
ステップＳ２０７では、第２の充放電時定数に設定されたエンベロープホールド回路１５で得られる第２のホールド値Ｅｈ２を判定回路１７のメモリに保存する。
【００３４】
ステップＳ２０８では、判定回路１７はメモリに保存した第１のホールド値Ｅｈ１と第２のホールド値Ｅｈ２の差分値ΔＥｈを求める。
ステップＳ２０９では、差分値ΔＥｈを閾値ΔＥ０と比較し、判定信号を出力する。
【００３５】
差分値ΔＥｈが閾値ΔＥ０以上であれば（判定信号はＨｉｇｈ）、ステップＳ２１０へ進み、当該ディスクはＤＶＤ−ＲＡＭディスクであると判別する。
差分値ΔＥｈが閾値ΔＥ０未満であれば（判定信号はＬｏｗ）、ステップＳ２１１へ進み、当該ディスクはＤＶＤ−ＲＡＭ以外のディスクであると判別する。
【００３６】
実施例２の構成によれば、エンベロープホールド回路１５が１個だけとなるので、ディスク判別のための回路構成が簡素化できる。
【図面の簡単な説明】
【００３７】
【図１】本発明にかかる光ディスク装置の第１の実施例（実施例１）を示す構成図。
【図２】トップエンベロープ検出回路１０の内部構成例を示す図。
【図３】エンベロープホールド回路１１，１２の内部構成例を示す図。
【図４】ＤＶＤ−ＲＡＭディスクの記録フォーマットとＲＦ信号を模式的に示す図。
【図５】ディスク判別における信号波形の一例を示す図。
【図６】実施例１におけるディスク判別のフローチャートを示す図。
【図７】本発明にかかる光ディスク装置の第２の実施例（実施例２）を示す構成図。
【図８】実施例２におけるディスク判別のフローチャートを示す図。
【符号の説明】
【００３８】
１…光ディスク、
２…光ヘッド、
３…サーボ制御回路、
４…スピンドルモータ、
５…再生回路、
６…復調回路、
７…制御回路、
８…変調回路、
９…レーザ駆動回路、
１０…トップエンベロープ検出回路、
１１…第１のエンベロープホールド回路、
１２…第２のエンベロープホールド回路、
１３…差分回路、
１４…比較回路、
１５…エンベロープホールド回路、
１６…充放電時定数切替回路、
１７…判定回路、
３３ａ，３３ｂ…電流源、
４１，５１…アドレス部、
４２，５２…データ部。
【図１】
2010129118.tif 000003
【図２】
2010129118.tif 000004
【図３】
2010129118.tif 000005
【図４】
2010129118.tif 000006
【図５】
2010129118.tif 000007
【図６】
2010129118.tif 000008
【図７】
2010129118.tif 000009
【図８】
2010129118.tif 000010